(57)【要約】      （修正有）【課題】箸やスプーン等の飲食用具を携帯して持ち運べる容器に殺菌灯を有して飲食用容器の殺菌可能とすると共に、飲食物との接触部分のみならず手で持つ部分等の広い範囲にわたって殺菌することのできる携帯用殺菌容器を提供する。【解決手段】飲食用具を収納して携帯できると共に容器内に紫外線を照射する殺菌灯５を有し、少なくとも飲食用具Ａの食品を触れる部分のみならず指がかかる位置まで紫外線を照射できる携帯用殺菌容器を構成する。【選択図】図１
0003161985.tif 000002
【実用新案登録請求の範囲】
【請求項１】
飲食用具を収納して携帯できると共に容器内で紫外線を照射して殺菌する殺菌灯５を有する携帯用殺菌容器において、
少なくとも飲食用具の食品を触れる部分及び指がかかる位置まで紫外線が照射できることを特徴とする携帯用殺菌容器。
【請求項２】
飲食用具を収納して携帯できると共に容器内で紫外線を照射して殺菌する殺菌灯５を有する携帯用殺菌容器において、
少なくとも飲食用具の全体に紫外線が照射できることを特徴とする携帯用殺菌容器。
【請求項３】
飲食用具を収納して携帯できると共に容器内で紫外線を照射して殺菌する殺菌灯５を有する携帯用殺菌容器において、
該容器のケース本体１両側内部に夫々ケース本体１内部方向に照射する殺菌灯５を有し、両側方向から容器内に収納する飲食用具に対して紫外線を照射することを特徴とする携帯用殺菌容器。
【請求項４】
飲食用具を収納して携帯できると共に容器内で紫外線を照射して殺菌する殺菌灯５を有する携帯用殺菌容器において、
該容器のケース本体１両側内部にケース本体１内部方向に照射する略Ｕ字状の殺菌灯５を有し、少なくとも両側方向から容器内に収納する飲食用具に対して紫外線を照射することを特徴とする携帯用殺菌容器。
【請求項５】
飲食用具を収納して携帯できると共に容器内で紫外線を照射して殺菌する殺菌灯５を有する携帯用殺菌容器において、
該容器には蓋体２を有するものであって、
該蓋体２のケース本体１方向の蓋体２の内面に紫外線を照射して殺菌する殺菌灯５を有することを特徴とする携帯用殺菌容器。
【請求項６】
ケース本体１と蓋体２とが着脱自在に装着することにより容器を構成するものであることを特徴とする請求項５記載の携帯用殺菌容器。
【請求項７】
蓋体２とケース本体１との間に仕切り板６を有し、
該仕切り板６は、少なくともケース本体１内に収納する飲食用具と蓋体２の内面とを隔離するものであることを特徴とする請求項５又は６のいずれかに記載の携帯用殺菌容器。
【請求項８】
ケース本体１と共に／又は蓋体２と、仕切り板６とを着脱自在に装着するものであることを特徴とする請求項７記載の携帯用殺菌容器。
【請求項９】
携帯用殺菌容器が、ケース本体１内に着脱自在に収納して飲食用具を載置することのできる飲食用具載置台３を有することを特徴とする請求項３乃至８のいずれかに記載の携帯用殺菌容器。
【請求項１０】
飲食用具載置台３には係止部３１を有し、係止部３１に飲食用具を着脱自在に装着することによって飲食用具を載置するものであることを特徴とする請求項９に記載の携帯用殺菌容器。
【請求項１１】
飲食用具載置台３が略凹部形状を有し、飲食用具を該凹部に嵌着することにより装着するものであることを特徴とする請求項９又は１０のいずれかに記載の携帯用殺菌容器。
【請求項１２】
飲食用具載置台３に孔３２を有することを特徴とする請求項９乃至１１のいずれかに記載の携帯用殺菌容器。
【請求項１３】
飲食用具載置台３と共に／又は飲食用具載置台３に代えて着脱自在の水受け台４を有することを特徴とする請求項９乃至１２のいずれかに記載の携帯用殺菌容器。
【請求項１４】
飲食用具載置台３下に水分吸着具を有することを特徴とする請求項９乃至１３のいずれかに記載の携帯用殺菌容器。
【請求項１５】
水受け台４上に水分吸着具を有することを特徴とする請求項１３に記載の携帯用殺菌容器。
【請求項１６】
ケース本体１が洗浄可能であることを特徴とする請求項１乃至１５のいずれかに記載の携帯用殺菌容器。
【請求項１７】
飲食用具載置台３が洗浄可能であることを特徴とする請求項９乃至１５のいずれかに記載の携帯用殺菌容器。
【請求項１８】
水受け台４が洗浄可能であることを特徴とする請求項１３、１５のいずれかに記載の携帯用殺菌容器。
【請求項１９】
仕切り板６が洗浄可能であることを特徴とする請求項７に記載の携帯用殺菌容器。
【請求項２０】
蓋体２が洗浄可能であることを特徴とする請求項５乃至８のいずれかに記載の携帯用殺菌容器。
【請求項２１】
飲食用具が箸であることを特徴とする請求項１乃至２０のいずれかに記載の携帯用殺菌容器。
【請求項２２】
飲食用具がスプーンであることを特徴とする請求項１乃至２０のいずれかに記載の携帯用殺菌容器。
【請求項２３】
一の携帯用殺菌容器に収納する飲食用具が箸とスプーンであることを特徴とする請求項１乃至２０のいずれかに記載の携帯用殺菌容器。
【考案の詳細な説明】
【技術分野】
【０００１】
本考案は、携帯用の殺菌容器であって、より詳細には箸やスプーン等の飲食用具類を収納し、殺菌しつつ携帯ができる携帯用殺菌容器に関する。
【背景技術】
【０００２】
従来より、飲食用具類の殺菌に関しては使用後に洗浄することが一般的であり、家庭においても或いは業務としてもいずれでも洗浄することによって殺菌を図るものである。
しかし、手等で洗浄するものの他、機械的に殺菌等するものとして、例えば業務用に関して実開平４‐３６８７５号（特許文献１）が存在しており、多数の箸を収納する大型容器内に箸を収納し、商用電源を用いて殺菌灯を作動させて殺菌するものである。
【０００３】
又、机上に置く無菌性飲食用収納ケースとして実開平１‐１７８７６０号（特許文献２）が存在する。
これはケースに抗菌性ゼオライトを用いるものである。
これらは持ち運びを前提とするものではない。
この他、携帯性を有するものとして家庭用の携帯用の箸ケースとして同様に抗菌性ゼオライトを用いる実開平１‐１７８７６１号（特許文献３）が存在する。
或いは紫外線を照射する紫外線殺菌灯を有する箸にも用いられる携帯用殺菌装置が特開平１１‐３１８５６６号（特許文献４）として存在する。
【特許文献１】実開平４‐３６８７５号
【特許文献２】実開平１‐１７８７６０号
【特許文献３】実開平１‐１７８７６１号
【特許文献４】特開平１１‐３１８５６６号
【考案の開示】
【考案が解決しようとする課題】
【０００４】
以上の様に、飲食用具の殺菌することの可能な容器が存在するが、先ず特許文献１に示す業務用の殺菌装置が存在するが、これは家庭用として用いるものではない。
又、特許文献２に関しても、同様に飲食用具類を入れて持ち運び等をするためのものではない。
即ち現在、食の安全等が広く求められている現在、自ら使用する飲食用具である箸やスプーン、フォーク類等に関しては、自ら持参して用いることが多用されているものである。
【０００５】
更に、現在の資源保護の観点等においても割り箸等の多用はできる限り避け、自ら塗り箸や箸に変わる飲食用具類の持参が求められている。
特に、これら以外においても幼稚園児や小学生の児童等においては自らの飲食用具を持参することは従来より多用しているものであり、これ等の飲食用具を携帯可能な携帯用容器は、多用されているものである。
【０００６】
しかし、どうしてもこの容器内の飲食用具類に関しては持ち帰った際における洗浄行為のみによってきれいにし、特段殺菌等を行なうなどはできないものであった。
従って、前記特許文献３に示すような容器に抗菌性ゼオライトを用いたとしても無菌性を容器として保てるが、箸等に付着している菌類等に対しては効果を有するものではなく、又単に消極的な抗菌性を有しているものに過ぎないものであった。
【０００７】
これに代えて特許文献４に関しては、紫外線を照射する紫外線殺菌灯を用いており、箸等の殺菌を可能とするものであり、非常に有用である。
反面、単に殺菌灯を有するだけであり、使用後の汚れた箸等を収納するともはや容器のいたるところに食べかすや汚れが残ってしまい、単に一部のみを照射する殺菌等レベルでの殺菌等では有効な殺菌はできないものである。
【０００８】
特に歯ブラシのブラシ部分のみを照射するものであり、歯ブラシであれば可能かもしれないが使用範囲の大きい箸やスプーンなどにあっては、それぞれに応じた殺菌等の照射を行なわなければ有効な殺菌はできないものである。
更に容器自体に関して着脱自在のトレーを用いる点は有効であるが、内部にたまった水等の処理に関しては単に殺菌灯への防水が記されるだけであり特段の内部へたまった水の処理のための構成を有するものない。
【０００９】
従って、該特許文献４は歯ブラシに用いるものとしては有効ではあるが箸等の飲食用具に対して用いるのには、そのための具体的構成が不明確かつ不十分であり、実用性にかけるものであった。
特に子供等を考慮し、子供が使用することに対応して飲食用具全体に殺菌性を持たせ、かつ飲食用具全体を用いて食事する子供の飲食後の汚れを考慮した特段の構成が求められているものである。
【課題を解決するための手段】
【００１０】
以上のように係る課題を見事に解決するため、携帯用の殺菌容器の提供を課題とするものである。
係るため請求項１に係る考案は、飲食用具を収納して携帯できると共に容器内で紫外線を照射して殺菌する殺菌灯を有する携帯用殺菌容器において、少なくとも飲食用具の食品を触れる部分のみならず指がかかる位置まで紫外線が照射できる携帯用殺菌容器であり、係る考案によって前記課題を解決できる。
【００１１】
次に、請求項２に係る考案は、飲食用具を収納して携帯できると共に容器内で紫外線を照射して殺菌する殺菌灯を有する携帯用殺菌容器において、少なくとも飲食用具の全体に紫外線が照射できる携帯用殺菌容器であり、係る考案であってもよい。
【００１２】
又、請求項３に係る考案は、飲食用具を収納して携帯できると共に容器内で紫外線を照射して殺菌する殺菌灯を有する携帯用殺菌容器において、該容器のケース本体両側内部に夫々ケース本体内部方向に照射する殺菌灯を有し、両側方向から容器内部に収納する飲食用具に対して紫外線を照射する携帯用殺菌容器であり、係る考案でもよい。
【００１３】
この他、請求項４に係る考案のように飲食用具を収納して携帯できると共に容器内で紫外線を照射して殺菌する殺菌灯を有する携帯用殺菌容器において、該容器のケース本体１両側内部にケース本体内部方向に照射する略Ｕ字状の殺菌灯を有し、少なくとも両側方向から容器内部に収納する飲食用具に対して紫外線を照射する携帯用殺菌容器を用いてもよい。
【００１４】
更に、請求項５に係る考案のように飲食用具を収納して携帯できると共に容器内で紫外線を照射して殺菌する殺菌灯を有する携帯用殺菌容器において、該容器には蓋体を有するものであって、該蓋体のケース本体方向の蓋体の内面に紫外線を照射して殺菌する殺菌灯を有する携帯用殺菌容器でもよい。
【００１５】
この場合、請求項６に係る考案のようにケース本体と蓋体とが着脱自在に装着するものである携帯用殺菌容器でも、或いは請求項７に係る考案のように蓋体とケース本体との間に仕切り板を有し、該仕切り板は、少なくとも容器本体内に収納する飲食用具と蓋体の内面とを隔離するものでもよい。
【００１６】
或いは、請求項８に係る考案のようにケース本体と共に／又は蓋体と、仕切り板とは着脱自在に装着されているものでもよい。
これらの場合請求項９に係る考案のように携帯用殺菌容器が、ケース本体内に着脱自在に収納して飲食用具を載置することのできる飲食用具載置台を有するものでも、請求項１０に係る考案のように飲食用具載置台には係止部を有し、係止部に飲食用具を着脱自在に装着することによって飲食用具を載置できるものでもよい。
【００１７】
或いは、請求項１１に係る考案のように飲食用具載置台が略凹部形状を有し、飲食用具を該凹部に嵌着することにより装着するものでも、請求項１２に係る考案のように飲食用具載置台に孔を有するものでもよく、更には請求項１３に係る考案のように飲食用具載置台と共に／又は飲食用具載置台に代えて着脱自在の水受け台を有するものでもよい。
【００１８】
更に、請求項１４に係る考案のように飲食用具載置台下に水分吸着具を有するものでも、請求項１５に係る考案のように水受け台上に水分吸着具を有するものでもよいものである。
【００１９】
次に、これらに関しては請求項１６に係る考案のように容器本体が洗浄可能であるものでも、請求項１７に係る考案のように飲食用具載置台が洗浄可能であるものでも、請求項１８に係る考案のように水受け台が洗浄可能であるものでも、請求項１９に係る考案のように仕切り板が洗浄可能であるものでも、請求項２０に係る考案のように蓋体が洗浄可能であってもいずれでもよい。
【００２０】
尚、これらに関して飲食用具は、請求項２１に係る考案に示すように箸でも、請求項２２に係る考案に示すようにスプーンでも、或いは請求項２３に係る考案に示すように一の携帯用殺菌容器に収納する飲食用具が箸とスプーンであってもいずれでもよい。
【考案の効果】
【００２１】
以上のように構成したことによって前記課題を見事の解決できるものであって、先ず請求項１に係る考案により、携帯して所持できる飲食用具の紫外線照射の範囲を広く維持でき、飲食用具に対する殺菌効果をより確実かつ必要充分な程度得られるものであり、衛生面での効果を極めて高く保有できるものである。
又、請求項２に係る考案によれば飲食の用に供するための飲食用具を容器内で全体的に殺菌できるものであり、極めて衛生的に飲食用具を収納できるものである。
【００２２】
更に請求項３に係る考案によれば、容器本体内の両側から殺菌灯で容器内に収納する飲食用具を照射でき、全体的に紫外線を当てることによる殺菌を可能とするものである。
又、請求項４に係る考案によれば、略Ｕ字状の殺菌灯を用いることができ、更に容器内に広い範囲で紫外線を照射できるものである。
次に請求項５に係る考案によれば、蓋体に殺菌灯を配置するものであり、蓋体から容器内全面に向かって紫外線を照射できるものとなる。
【００２３】
更に請求項６に係る考案によれば容器本体と蓋体を着脱自在に分離できるものであり、夫々分離した単体を必要に応じて洗浄等できるものである。
したがって、容器本体のみを洗浄することもでき、必要に応じて蓋体だけでも洗浄できるものであり、きわめて使い勝手の良い、又清潔性を保ちやすい容器の提供を可能とする。
更に、請求項７に係る考案によれば、仕切り板によって容器本体内に飲食用具の汚れや水分などをためることができるものであり、汚れの範囲を限定できるものである。
【００２４】
又、請求項８に係る考案によれば、仕切り板が取り外せるものであり、洗浄の便宜が図れるものとなり容器の清潔性を簡単にかつ高度に保てるものとなる。
更に請求項９に係る考案によれば、飲食用具載置台を有し飲食用具を載置できると共に容器から取り外して簡単に洗浄等できるものとなる。
又、請求項１０に係る考案によれば、係止部によって飲食用具をきっちりと係止装着できるものである。
【００２５】
請求項１１に係る考案によれば、凹部によって飲食用具を嵌着して装着できるものでありきっちりと装着できるものとなる。
請求項１２に係る考案によれば、孔によって飲食用具載置台上の不要な水分や汚れ滓等を孔より下に落とすことができ、飲食用具周りの汚れを除去できるものとなる。
又、請求項１３に係る考案によれば水受け台によって不要な水分や汚れ滓などをここにためおく事もできる。
【００２６】
更に請求項１４及び１５に係る考案によれば、水分吸着具によって余分な水分家滓等を吸着することができ、飲食用具周りを清潔に保てるものとなると共に殺菌灯の効果を高めることができる。
請求項１６に係る考案によれば容器本体を、請求項１７に係る考案によれば飲食用具載置台を、請求項１８に係る考案によれば水受け台を、請求項１９に係る考案によれば仕切り板を、更に請求項２０に係る考案によれば蓋体を夫々洗浄可能に構成することによって飲食用具を収納した後、容器内の汚れを簡単に洗浄できるものであって、次回の使用等に際して清潔性を高度にかつ簡単に保つことができるものとなる。
【００２７】
請求項２１に係る考案によれば飲食用具として最も多用されている箸を用いることができ、更に請求項２２に係る考案によれば小さい子供などに多用されているスプーンを用いることができるものである。
特に請求項２３に係る考案によれば子供にとって必要となる箸とスプーンを有効にかつ清潔に収納でき殺菌することのできる携帯用殺菌容器の提供を可能とするものである。
【考案を実施するための最良の形態】
【００２８】
図１は、本考案に係る携帯用殺菌容器の一例を示す図である。
本図に示す構成は、蓋体２付きケースとケース本体１内に着脱自在に装着されている飲食用具載置台３と更に水受け台４とからなる。
先ず飲食用具Ａが飲食用具載置台３に装着されて更にケース本体１内に装着されている。
この飲食用具載置台３とケース本体１の間には更に水受け台４を有するものである。
【００２９】
次にケースには更にケース内方向に向かって両側に紫外線を照射する紫外線殺菌灯５を有しており、容器内に向かって紫外線による殺菌を行なうものである。
本図構成においては少なくとも容器の一端部方向からほぼ中央部の位置までの長さの殺菌灯５が配置されており、ケース内の多くを照射するものである。
特に両側に殺菌灯５を有しており、両側から紫外線を照射できるものであり、ケース内の飲食用具Ａに対して死角となる部分がなく全体を満遍なく殺菌できるものである。
【００３０】
特に飲食用具Ａとして箸とスプーンを明示しているが、この箸の箸先方向のみならず指をかける位置程度まで充分に殺菌できるものであり、更にはスプーンにおいては物を掬う先端の楕円形状部分のみならず手で持つ部分近傍をも殺菌できるものとなる。
尚、本図に示す箸とスプーンに関しては、この構成に限らず箸だけでも、或いはスプーンだけでもよく、又スプーンとフォークとするものであってもいずれでもよく、任意の一の飲食用具Ａのみならず任意の組み合わせによる飲食用具Ａを収納して殺菌する携帯用殺菌容器であってもよい。
【００３１】
次に図２は、図１に示す携帯用殺菌容器の平面図であり、容器内の飲食用具Ａである箸とスプーンの収納状況の一例が明示されているものである。
本図に示すように、該容器の両側内側には夫々紫外線を照射する殺菌灯５が配置されており、飲食用具載置台３上に箸とスプーンが載置されているものである。
この場合、飲食用具載置台３には飲食用具Ａを任意位置で係止する係止部３１を有しており、これによって飲食用具Ａが着脱自在に定置されるものとなる。
【００３２】
本図において係止部３１は弾力を有する２つの突出片をもって飲食用具Ａを挟む構成をもって示すが、これに限らず飲食用具を定置可能な各種公知な係止部をもって構成するものであってもよく、少なくとも着脱自在に飲食用具を係止できると共に飲食用具を定置することのできる係止部であればよい。
又、係止部３１の設置位置も飲食用具に応じ又は容器の形状などの多用な条件に応じて夫々任意位置に任意個数に有するものであればよい。
【００３３】
例えば飲食用具載置台３を略凹部形状を有し、飲食用具Ａを該凹部に嵌着することにより装着するものであってもよく、係る凹部形状も飲食用具Ａを係止するものであり、係止部の一例である。
更に飲食用具載置台３には小孔３２があいており、例えば水等や滓等が飲食用具載置台３から下に落ちるように形成されている。
もとよりこれは一例であり、孔がないものでもよく、或いは小孔を極めて多数有するものでも、或いはやや大きい孔を有するものでも、いずれでもよい。
【００３４】
これによって飲食用具についている水分等を飲食用具載置台３下に落とすことができる。
例えばこの飲食用具載置台３下に水分吸着具を有するもの等を用いるもの、或いは水受け台４上に水分吸着具を有するもの等でもよく、これらにより水分や滓等を有効に吸収できると共に吸着しておくことができる。
或いは乾燥剤等を該飲食用具載置台３下部に入れておくものであってもよい。
【００３５】
尚、この飲食用具載置台３は、本図では飲食用具Ａ全体に及ぶ程度の大きさを有するものとして示すが、これに限らず飲食用具の汚れやすい部分即ち箸であれば、その先端部分と箸をもつ手の指の位置に対応する箇所程度、或いはスプーンにおいては物を掬う先端の楕円形状部分及びスプーンをもつ手の指の位置に対応する取っ手の箇所程度に及ぶ大きさの飲食用具載置台３を用いてもよいものである。
【００３６】
これによって、飲食用具Ａと共に取り外した飲食用具載置台３を洗浄することができるものとなる。
尚、蓋体２を有するものであり、飲食用具Ａを収納状態で収納できる。
【００３７】
図３は、本考案に係る携帯用殺菌容器の一例の蓋体２と本体１からなるケースと水受け台４と飲食用具載置台３を夫々外した状態の一例を示す図である。
このように水受け台４と飲食用具載置台３とを簡単に取り外せるものであり、これらをキレイにかつ簡単に洗浄できるものであり、くり返しの使用に際しての清潔性等を担保できるものである。
【００３８】
尚、例えば水受け台４に関しては、容器の清潔性をより高度に担保するために設けたものであり、電気機器であるケース自体の洗浄ができない場合でも、これによって水分等や食事滓を有する飲食用具Ａを収納する収納部分のくり返しの洗浄を可能とするものである。
従って、例えばケース自体が防水性を有して構成した場合にはケースをそのまま洗浄可能となり、水受け台４を設けないものであってもよい。
【００３９】
例えば飲食用具載置台３の孔の有無も問わないものである。
更には、例えばケース自体に飲食用具Ａの係止部を有し、ケース内に飲食用具Ａを着脱自在に載置するものでもよい。
但し、殺菌灯５に関しては、少なくとも容器の一端部方向からほぼ中央部の位置程度まで以上の長さの殺菌灯が配置されており、ケース内の多くを照射できるものであることが必要である。
又、ケース内の飲食用具Ａを収納する位置に向けてケースの両側に殺菌灯５を有するもの等であることによりケース内の多くを照射できるものであることが必要である。
【００４０】
図４は、本考案に係る携帯用殺菌容器の他の一例を示す図であり、本図に示す構成は殺菌灯５がケース内の飲食用具Ａを収納する位置に両側にわたる略Ｕ字状の構成を有し、少なくとも飲食用具Ａの飲食のために食品と触れる部分及び手の指が触れる部分等に対して両側部及び頂点部から殺菌灯５が照射できるように殺菌灯５を構成して配置した一例を示す。
これによって、飲食用具Ａとして汚れる部分が全般的に含まれる範囲において殺菌灯を照射できるものである。
【００４１】
図５は、図４に示す容器においての一例であり、該殺菌灯５及び他の電源装置等を有するケース本体１と蓋体２とからなるケースと、水受け台４と飲食用具載置台３とを夫々分離した状態の一例を示す図である。
本図に示す飲食用具載置台３は、殺菌灯５を照射可能とするための窓部３３を有し、更に底部分に孔３２を有する構成である。
又、この飲食用具載置台３は、凹み形状によって飲食用具を収納可能とするものである。
【００４２】
この場合、例えば本図のようにこの凹み部に任意に飲食用具Ａを入れるものであっても、或いは別途係止部３１を有し載置台３自体にきっちりと着脱自在に載置するものであってもいずれでもよい。
従って、本図構成は一例であり、他の構成でも、或いは飲食用具載置台３を有さないものでもよい。
【００４３】
次に水受け台４は底の浅い一例を示す。
これは単に載置台３上の汚れや水分をここにためることを主眼として設けたものである。
従って、例えばこの水受け台４の位置はもはやケースの殺菌灯５にまで届かない高さの壁部を有する台を示しており、水受け台４の一例として示す図である。
もとより、本図構成に限定されるものではなく、他の構成であってもよいのはもちろんであり、更には水受け台４を有さない構成を持ってもよいものである。
【００４４】
図６は、本考案に係る携帯用殺菌容器の他の一例を示す図である。
本図に示す構成は、ケースの蓋体２部分に略円形状の殺菌灯５をケース本体１の内側方向に向かって装着しているものであり、容器内に飲食用具Ａを収納した状態で蓋体２を閉めることによって飲食用具全体に向かって殺菌灯５により紫外線を照射できるものである。
これによって少なくとも飲食用具Ａの飲食のために食品と触れる部分及び手の指が触れる部分に対して全面的に殺菌灯５を照射できるものとなる。
【００４５】
この場合飲食用具Ａを収納するケース本体１の凹み内に飲食用具載置台３及び／又は水受け台４を有するものでも、或いは有さないものでもよい。
例えばケースの蓋体２とケース本体１とを着脱自在にできることにより、ケース本体１自体をそのまま丸洗い可能としたものでもよい。
これによっていつでもケースをキレイに保つことできる。
この場合ケース本体１の凹み内に飲食用具Ａを着脱自在に係止する係止部を有するものであって、或いは有さないものでもいずれでもよい。
【００４６】
更に例えば飲食用具載置台３を有し、これに係止部３１を有するものであってもよい。
尚、本図においては蓋体２とケース本体１間に汚れ抑え用の仕切り板６を有しているものであり、これは殺菌灯５の例えば紫外線等を透過しやすいように透明な板等によって構成されているものである。
この仕切り板６によってケース内に汚れを封じ込めることができるものであると共に飲食用具を容器内にきっちりと収納することもできる。
更にこれによって、蓋体２部分に汚れがつかなくなり蓋体２の洗浄などの必要性をなくすことができる。
【００４７】
もとより蓋体２自体を防水性をもって構成することにより蓋体２自体を洗浄可能としてもよい。
例えば蓋体２とケース本体１とを着脱できる構成に限らず一体化しているものでもよい。
或いは仕切り板６を有するものでも或いは有さないものでもいずれでもよい。
更に、ケース本体１及び／又は蓋体２と、仕切り板６とは着脱自在に装着するものであってもよい。
この仕切り板６を取り外し可能とすれば仕切り板６のみ取り外して洗浄等できるものとなる。
【００４８】
尚、本図の殺菌灯５は略円形形状を有するものであるがこれに限らずＵ字状の殺菌灯を用いたものでも、或いはＩ字状の殺菌灯を用いたものでも、Ｌ字状の殺菌灯を用いたものでもよい。
又、一の殺菌灯のみならず２以上の複数の殺菌灯を配設したものであってももちろんよい。
蓋体２の裏面、即ちケース方向に殺菌灯５を配設して、ケース本体１内を照射可能とするものであればよい。
以上のように本携帯用殺菌容器は、携帯可能なケース内に飲食用具を収納できるものであって、持ち運びを可能とし、特に飲食用具をきっちりと殺菌可能とするものである。
【００４９】
この場合、電源装置や回路等は明示していないが、一般的な構造を有して殺菌灯５を点灯させ又消灯させるものであればよい。
例えば電源機構に関しては、例えば内蔵電源を有するものであればよく、乾電池やボタン電池によるアルカリ電池やマンガン電池或いはリチウム電池等の一般的な電源を有するものであってもよく、又各種バッテリー等を用いるものであってもよい。
もちろん電源を交換可能な電源ボックス内などに収納するものであってもよい。
【００５０】
特に充電構成を有する一例においては、商用電源は充電用として用いるものであり、通常の殺菌灯５の点灯等に際して即ち携帯時の点灯に際して内蔵電源によって電源を得られるものであればよい。
この場合店頭に関して特段のスイッチを有するものであってもよく、例えばケースの任意箇所に殺菌灯５の点灯のためのスイッチを有するものでもよい。
スイッチを任意に入れることにより点灯するものでも、或いは蓋体を閉めたことを検知して点灯するものでも、或いは予め設定している時間になったことを検知して点灯するものなどであってもよい。
更に点灯後にスイッチを用いて消灯させるものでもよく、又一定時間経過を検知して消灯するものでもよく、又殺菌状態を検知して消灯するものでもよい。
【図面の簡単な説明】
【００５１】
【図１】本考案に係る携帯用殺菌容器の一例を示す図
【図２】本考案に係る携帯用殺菌容器の一例を示す図であり、容器内の飲食用具Ａである箸とスプーンの収納状況の一例が明示されている図
【図３】本考案に係る携帯用殺菌容器の一例を示す図であり、水受け台と飲食用具載置台とを夫々分離した状態の一例を示す図
【図４】本考案に係る携帯用殺菌容器の他の一例を示す図
【図５】本考案に係る携帯用殺菌容器の他の一例を示す図であり、水受け台と飲食用具載置台とを夫々分離した状態の一例を示す図
【図６】本考案に係る携帯用殺菌容器の他の一例を示す図
【符号の説明】
【００５２】
１    ケース本体
２    蓋体
３    飲食用具載置台
３１  係止具
３２  孔
４    水受け台
５    殺菌灯
６    仕切り板
Ａ    飲食用具
【図１】
0003161985.tif 000003
【図２】
0003161985.tif 000004
【図３】
0003161985.tif 000005
【図４】
0003161985.tif 000006
【図５】
0003161985.tif 000007
【図６】
0003161985.tif 000008
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
飲食用具を収納して携帯できると共に容器内で紫外線を照射して殺菌する殺菌灯５を有する携帯用殺菌容器において、
少なくとも飲食用具の食品を触れる部分及び指がかかる位置まで紫外線が照射できることを特徴とする携帯用殺菌容器。
【請求項２】
飲食用具を収納して携帯できると共に容器内で紫外線を照射して殺菌する殺菌灯５を有する携帯用殺菌容器において、
少なくとも飲食用具の全体に紫外線が照射できることを特徴とする携帯用殺菌容器。
【請求項３】
飲食用具を収納して携帯できると共に容器内で紫外線を照射して殺菌する殺菌灯５を有する携帯用殺菌容器において、
該容器のケース本体１両側内部に夫々ケース本体１内部方向に照射する殺菌灯５を有し、両側方向から容器内に収納する飲食用具に対して紫外線を照射することを特徴とする携帯用殺菌容器。
【請求項４】
飲食用具を収納して携帯できると共に容器内で紫外線を照射して殺菌する殺菌灯５を有する携帯用殺菌容器において、
該容器のケース本体１両側内部にケース本体１内部方向に照射する略Ｕ字状の殺菌灯５を有し、少なくとも両側方向から容器内に収納する飲食用具に対して紫外線を照射することを特徴とする携帯用殺菌容器。
【請求項５】
飲食用具を収納して携帯できると共に容器内で紫外線を照射して殺菌する殺菌灯５を有する携帯用殺菌容器において、
該容器には蓋体２を有するものであって、
該蓋体２のケース本体１方向の蓋体２の内面に紫外線を照射して殺菌する殺菌灯５を有することを特徴とする携帯用殺菌容器。
【請求項６】
ケース本体１と蓋体２とが着脱自在に装着することにより容器を構成するものであることを特徴とする請求項５記載の携帯用殺菌容器。
【請求項７】
蓋体２とケース本体１との間に仕切り板６を有し、
該仕切り板６は、少なくともケース本体１内に収納する飲食用具と蓋体２の内面とを隔離するものであることを特徴とする請求項５又は６のいずれかに記載の携帯用殺菌容器。
【請求項８】
ケース本体１と共に／又は蓋体２と、仕切り板６とを着脱自在に装着するものであることを特徴とする請求項７記載の携帯用殺菌容器。
【請求項９】
携帯用殺菌容器が、ケース本体１内に着脱自在に収納して飲食用具を載置することのできる飲食用具載置台３を有することを特徴とする請求項３乃至８のいずれかに記載の携帯用殺菌容器。
【請求項１０】
飲食用具載置台３には係止部３１を有し、係止部３１に飲食用具を着脱自在に装着することによって飲食用具を載置するものであることを特徴とする請求項９に記載の携帯用殺菌容器。
【請求項１１】
飲食用具載置台３が略凹部形状を有し、飲食用具を該凹部に嵌着することにより装着するものであることを特徴とする請求項９又は１０のいずれかに記載の携帯用殺菌容器。
【請求項１２】
飲食用具載置台３に孔３２を有することを特徴とする請求項９乃至１１のいずれかに記載の携帯用殺菌容器。
【請求項１３】
飲食用具載置台３と共に／又は飲食用具載置台３に代えて着脱自在の水受け台４を有することを特徴とする請求項９乃至１２のいずれかに記載の携帯用殺菌容器。
【請求項１４】
飲食用具載置台３下に水分吸着具を有することを特徴とする請求項９乃至１３のいずれかに記載の携帯用殺菌容器。
【請求項１５】
水受け台４上に水分吸着具を有することを特徴とする請求項１３に記載の携帯用殺菌容器。
【請求項１６】
ケース本体１が洗浄可能であることを特徴とする請求項３乃至９のいずれかに記載の携帯用殺菌容器。
【請求項１７】
飲食用具載置台３が洗浄可能であることを特徴とする請求項９乃至１４のいずれかに記載の携帯用殺菌容器。
【請求項１８】
水受け台４が洗浄可能であることを特徴とする請求項１３、１５のいずれかに記載の携帯用殺菌容器。
【請求項１９】
仕切り板６が洗浄可能であることを特徴とする請求項７に記載の携帯用殺菌容器。
【請求項２０】
蓋体２が洗浄可能であることを特徴とする請求項５乃至８のいずれかに記載の携帯用殺菌容器。
【請求項２１】
飲食用具が箸であることを特徴とする請求項１乃至２０のいずれかに記載の携帯用殺菌容器。
【請求項２２】
飲食用具がスプーンであることを特徴とする請求項１乃至２０のいずれかに記載の携帯用殺菌容器。
【請求項２３】
一の携帯用殺菌容器に収納する飲食用具が箸とスプーンであることを特徴とする請求項１乃至２０のいずれかに記載の携帯用殺菌容器。